(57)【特許請求の範囲】
【請求項１】
眼鏡に着脱可能な測距装置であって、
前記眼鏡をかけたユーザの視線の向きを検出し、前記視線上の測距対象物を特定する視線検出部と、
前記視線検出部により特定された前記測距対象物までの距離を算出する測距部と、
測定光を発光する発光部材と、
前記測定光の発光の方向を前記視線検出部により特定された前記測距対象物に向ける発光駆動部と、
前記測距対象物によって反射された前記測定光を受光する受光部材と、
前記測距部により測距された距離を通知する通知部と
を備え、
前記測距部は、前記受光部材により受光された前記測定光により前記測距対象物までの距離を算出し、
前記視線検出部は、前記測距対象物に視線が固定されたことを判定するための対象判定時間以上、前記視線が固定された固定状態となったと判定した場合に、前記測距部に測距指示を出力し、
前記視線検出部は、前記視線が前記固定状態から変化したと判定した場合に、前記測距部に測距停止指示を出力する測距装置。
【請求項２】
前記測距部は、算出された前記距離を通知するか否かを判定する判定距離未満の場合、前記通知部に前記距離を通知させない
請求項１に記載の測距装置。
【請求項３】
前記視線検出部はユーザの利き眼の視線を検出して、前記利き眼の前記視線上の前記測距対象物を特定する
請求項１または２に記載の測距装置。
【請求項４】
前記発光部材は、前記測定光として、偏光したレーザ光を発光し、
前記眼鏡のレンズは、前記偏光である前記レーザ光を遮光する
請求項１から３のいずれか１項に記載の測距装置。
【請求項５】
前記発光部材は、前記測定光として、パルス光を発光する
請求項１から４のいずれか１項に記載の測距装置。
【請求項６】
前記測距部は、前記パルス光のパルス数が、前記パルス光の停止を判定するパルス判定数以上になったと判定した場合に、前記発光部材の発光を停止させる
請求項５に記載の測距装置。
【請求項７】
前記眼鏡のレンズは、前記測定光の波長帯域の光を遮光する請求項１から６のいずれか１項に記載の測距装置。
【請求項８】
予め定められた目標物の位置及び方向を検出する目標物検出部と、
測距された前記距離とともに、前記目標物の方向を通知する通知部とを更に備える
請求項１から７のいずれか１項に記載の測距装置。
【請求項９】
測距された前記距離とともに、前記測距対象物の途中の距離を通知する通知部を更に備える請求項１から８のいずれか１項に記載の測距装置。
【請求項１０】
レンズと、
前記レンズの前方に向けられたユーザの視線の向きを検出し、前記視線上の測距対象物を特定する視線検出部と、
前記視線検出部により特定された前記測距対象物までの距離を算出する測距部と、
測定光を発光する発光部材と、
前記測定光の発光の方向を前記視線検出部により特定された前記測距対象物に向ける発光駆動部と、
前記測距対象物によって反射された前記測定光を受光する受光部材と
前記測距部により測距された距離を通知する通知部と
を備え、
前記測距部は、前記受光部材により受光された前記測定光により前記測距対象物までの距離を算出し、
前記視線検出部は、前記測距対象物に視線が固定されたことを判定するための対象判定時間以上、前記視線が固定された固定状態となったと判定した場合に、前記測距部に測距指示を出力し、
前記視線検出部は、前記視線が固定状態から変化したと判定した場合に、前記測距部に測距停止指示を出力する眼鏡。
【請求項１１】
前記測距部は、算出された前記距離を通知するか否かを判定する判定距離未満の場合、前記通知部に前記距離を通知させない
請求項１０に記載の眼鏡。
【請求項１２】
前記視線検出部はユーザの利き眼の視線を検出して、前記利き眼の前記視線上の前記測距対象物を特定する
請求項１０または１１に記載の眼鏡。
【請求項１３】
前記発光部材は、前記測定光として、偏光したレーザ光を発光し、
前記レンズは、前記偏光である前記レーザ光を遮光する
請求項１２に記載の眼鏡。
【請求項１４】
前記発光部材は、前記測定光として、パルス光を発光する
請求項１３に記載の眼鏡。
【請求項１５】
前記測距部は、前記レーザ光のパルス数が、前記レーザ光の停止を判定するパルス判定数以上になったと判定した場合に、前記発光部材の発光を停止させる
請求項１４に記載の眼鏡。
【請求項１６】
前記レンズは、前記測定光の波長帯域の光を遮光する請求項１０から１５のいずれか１項に記載の眼鏡。
【請求項１７】
予め定められた目標物の位置及び方向を検出する目標物検出部と、
測距された前記距離とともに、前記目標物の方向を通知する通知部とを更に備える
請求項１０から１６のいずれか１項に記載の眼鏡。
【請求項１８】
測距された前記距離とともに、前記測距対象物の途中の距離を通知する通知部を更に備える請求項１０から１７のいずれか１項に記載の眼鏡。
【発明の詳細な説明】
【技術分野】
【０００１】
本発明は、測距装置及び眼鏡に関する。
【背景技術】
【０００２】
測距が可能な測距装置及び眼鏡が知られている（例えば、特許文献１参照）。この眼鏡は、視力の検査等において、眼鏡の前方の予め定められた領域に光を照射して、その反射光を受光することにより距離を算出する。
［特許文献１］  特表２００４−５１８１６７号公報
【発明の概要】
【発明が解決しようとする課題】
【０００３】
しかしながら、測距対象物が遠方にある場合等において、眼鏡の前方の予め定められた領域に、ユーザの希望する測距対象物が含まれないことがあるという課題がある。
【課題を解決するための手段】
【０００４】
本発明の第１の態様においては、眼鏡に着脱可能な測距装置であって、前記眼鏡をかけたユーザの視線の向きを検出し、前記視線上の測距対象物を特定する視線検出部と、前記視線検出部により特定された前記測距対象物までの距離を算出する測距部とを備える測距装置を提供する。
【０００５】
本発明の第２の態様においては、レンズと、レンズの前方に向けられたユーザの視線の向きを検出し、前記視線上の測距対象物を特定する視線検出部と、前記視線検出部により特定された前記測距対象物までの距離を算出する測距部とを備える眼鏡を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】前方から見た眼鏡１０の全体斜視図である。
【図２】後方から見た眼鏡１０の斜視図である。
【図３】眼鏡１０の制御部２８を説明するブロック図である。
【図４】眼鏡１０による測距処理のフローチャートである。
【図５】表示部２６の表示情報の変更例である。
【図６】表示部２６の表示情報の変更例である。
【図７】前方から見た測距システム１００の全体斜視図である。
【図８】後方から見た測距システム１００の斜視図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、前方から見た眼鏡１０の全体斜視図である。図２は、後方から見た眼鏡１０の斜視図である。眼鏡１０をかけるユーザの視線の向きを眼鏡１０の前方とする。眼鏡１０をかけるユーザから見て左右上下を、眼鏡１０の左右上下方向とする。眼鏡１０は、眼鏡１０から測距対象物までの距離を測距する。測距対象物は特に限定されないが、例えば野外に配された物体である、ゴルフ場のピン等である。
【００１０】
図１及び図２に示すように、眼鏡１０は、フレーム１２と、一対のレンズ１４及びレンズ１６と、発光部１８と、受光部２０と、一対の撮像部２２及び撮像部２４と、表示部２６と、制御部２８とを備える。
【００１１】
フレーム１２は、リム部３２と、一対の枝部３４及び枝部３６とを有する。リム部３２は、一対のレンズ１４及びレンズ１６の上部を保持する。枝部３４は、リム部３２の右端部から後方に延びる。枝部３６は、リム部３２の左端部から後方に延びる。枝部３４、３６の後端部は、ユーザの耳にかけられる。
【００１２】
一対のレンズ１４、１６は、左右方向に間隔を開けて、リム部３２によって保持されている。レンズ１４、１６は、度付き及び度なしの何れであってもよい。レンズ１４、１６は、赤外線の波長帯域を遮光するカラーフィルタにより形成される。レンズ１４、１６は、さらに、少なくとも赤外線の波長領域において特定の偏光方向の偏光を遮光する偏光板であってもよい。この場合に、レンズ１４、１６は可視光の波長領域においても偏光板として機能することがより好ましい。
【００１３】
発光部１８は、リム部３２の右端部の前面に設けられている。発光部１８は、発光部材の一例であるレーザ４０と、発光駆動部４２とを有する。
【００１４】
レーザ４０の一例は、直線偏光の赤外線を発光する半導体レーザである。レーザ４０は、制御部２８からの発光指示によって前方に、測定光の一例であるレーザ光のパルス光を発光する。レンズ１４、１６は、赤外線の波長帯域を遮光するカラーフィルタなので、レーザ４０から発光されたレーザ光を遮光する。レーザ光の偏光方向は、レンズ１４、１６が透過する偏光方向と直交する方向に設定される。これにより、レンズ１４、１６は偏光板なので、発光部１８から発光された偏光であるレーザ光をより確実に遮光する。
【００１５】
発光駆動部４２は、圧電部材を含む。発光駆動部４２は、リム部３２に固定されている。発光駆動部４２は、レーザ４０を保持する。発光駆動部４２は、圧電部材の変形によって、レーザ４０を傾斜させる。これにより、発光駆動部４２は、レーザ４０のレーザ光の発光方向を変更する。
【００１６】
受光部２０は、リム部３２の左端部の前面に設けられている。
【００１７】
受光部２０は、受光部材の一例である受光素子４４と、受光駆動部４６とを有する。受光素子４４は、フォトダイオードまたはフォトトランジスタ等の光電変換素子からなる。受光素子４４は、発光部１８から発光されて、測距対象物によって反射された光を受光する。受光素子４４は、受光した光を電気信号へと光電変換して、制御部２８へと出力する。
【００１８】
受光駆動部４６は、圧電部材を含む。受光駆動部４６は、リム部３２に固定されている。受光駆動部４６は、受光素子４４を保持する。受光駆動部４６は、圧電部材の変形によって、受光素子４４を傾斜させる。これにより、受光素子４４の受光面の方向を変更する。
【００１９】
撮像部２２、２４の一例は、ＣＣＤ（charge-coupled device）カメラである。撮像部２２は、リム部３２の右半部の中央の後面に設けられている。撮像部２４は、リム部３２の左半部の中央の後面に設けられている。撮像部２２、２４は、レンズ１４、１６の後方のそれぞれユーザの右眼及び左眼を撮像して制御部２８へと出力する。
【００２０】
表示部２６の一例は、液晶表示装置、有機ＥＬ表示装置である。表示部２６は、レンズ１４の後面に積層されている。表示部２６は、測距された測距対象物までの距離を表示する。よって、表示部２６は、通知部の一例である。尚、表示部２６は、測距対象物に重ねて図２に「×」で示すターゲットマークを表示してもよい。
【００２１】
制御部２８は、眼鏡１０の制御全般を司る。例えば、制御部２８は、撮像部２２、２４から入力される画像に基づく視線検出、受光部２０から入力される電気信号に基づく測距、及び、測距された距離を表示部２６に表示する。
【００２２】
図３は、眼鏡１０の制御部２８を説明するブロック図である。図３に示すように、制御部２８は、視線検出部５０と、測距部５２と、記憶部５４とを備える。
【００２３】
視線検出部５０は、撮像部２２、２４から出力されたユーザの両眼の画像データを取得する。視線検出部５０は、取得した両眼の画像データから瞳孔の位置を抽出して、眼鏡をかけたレンズ１４、１６の後方から前方に向けられたユーザの視線の向きを検出する。視線検出部５０は、対象判定時間以上、視線が固定されると、視線上の測距対象物を特定して、視線が測距対象物に固定された固定状態と判定する。視線検出部５０は、固定状態と判定すると、発光駆動部４２を制御して、レーザ４０から発光されるレーザ光の方向を、視線検出部５０により特定された視線上の測距対象物に向ける。視線検出部５０は、さらに、発光駆動部４２に連動させて受光駆動部４６を制御する。具体的には、視線検出部５０は、受光素子４４の受光面がレーザ４０から発光された後、測距対象物によって反射されたレーザ光に対して垂直になるように、受光駆動部４６を制御する。また、視線検出部５０は、固定状態と判定すると、測距部５２に測距指示を出力する。
【００２４】
測距部５２は、受光素子４４によって受光されたレーザ光により、視線検出部により特定された測距対象物までの距離を算出する。具体的には、測距部５２は、視線検出部５０から測距指示が入力されると、測距処理を開始する。測距部５２は、測距処理において、レーザ４０を制御して、レーザ光を発光させる。ここで、測距部５２は、レーザ光が発光及び消光が周期的に繰り返されるパルスとなるようにレーザ４０を制御する。測距部５２は、レーザ光を受光した受光素子４４から出力された受光信号を取得する。測距部５２は、受光信号を取得するとレーザ４０の発光を停止する。尚、測距部５２は、受信信号を取得する前に、レーザ４０から発光されたレーザ光のパルス数がパルス判定数以上になったと判定すると、レーザ４０の発光を停止する。測距部５２は、レーザ４０からレーザ光が発光された発光時刻と、受光信号を取得した受光時刻との時間差から眼鏡１０と測距対象物と間の距離を算出して測距する。測距部５２は、複数のパルスに基づいて算出した複数の距離の平均を算出して、その平均を測距対象物までの距離としてもよい。これにより、測距部５２は、測距の精度を向上できる。測距部５２は、算出した距離が判定距離以上の場合、当該距離を表示部２６へと出力して、表示部２６に距離を表示させる。測距部５２は、算出した距離が判定距離未満の場合、当該距離を表示部２６に表示させない。
【００２５】
記憶部５４は、種々の情報を記憶する。記憶部５４は、視線が測距対象物に固定されたか否かを判定する対象判定時間を記憶する。対象判定時間の一例は、１秒から３秒である。記憶部５４は、レーザ光の停止を判定するパルス判定数を記憶する。パルス判定数の一例は、２０個である。記憶部５４は、測距部５２が算出した距離を表示部２６に表示させるか否かを判定する判定距離を記憶する。判定距離の一例は、数十ｃｍから数ｍである。対象判定時間、パルス判定数及び判定距離は、ユーザが設定及び変更できるようにしてもよい。
【００２６】
図４は、眼鏡１０による測距処理のフローチャートである。図４に示すように、測距処理が開始されると、視線検出部５０が視線を検出する（Ｓ１０）。次に、視線検出部５０は、対象判定時間に基づいて、視線が固定された固定状態か否かを判定する（Ｓ１２）。視線検出部５０は、視線が固定されたと判定するまで（Ｓ１２：Ｎｏ）、ステップＳ１０、Ｓ１２を繰り返す。
【００２７】
視線検出部５０は、視線が固定された固定状態と判定すると（Ｓ１２：Ｙｅｓ）、発光駆動部４２及び受光駆動部４６を駆動する（Ｓ１４）。これにより、発光駆動部４２は、レーザ４０のレーザ光の発光の方向を視線検出部５０により特定された測距対象物に向ける。この結果、レーザ４０は、視線上の測距対象物に向けてレーザ光を発光可能な状態となる。また、受光素子４４は、測距対象物によって反射されたレーザ光を受光可能な状態となる。視線の固定状態が判定された場合に、表示部２６は、視線検出部５０により検出された視線の位置に、「×」で示すターゲットマークを表示してもよい。
【００２８】
次に、視線検出部５０は、測距部５２に測距指示を出力する（Ｓ１６）。測距部５２は、測距指示が入力されると、発光指示をレーザ４０に出力して、パルス状態のレーザ光を発光させる（Ｓ１８）。
【００２９】
測距部５２は、発光されたレーザ光のパルス数がパルス判定数以上か否かを判定する（Ｓ２０）。測距部５２は、パルス数がパルス判定数以上と判定すると（Ｓ２０：Ｙｅｓ）、レーザ４０を停止して（Ｓ２２）、測距処理を終了する。
【００３０】
一方、測距部５２は、パルス数がパルス判定数未満と判定すると（Ｓ２０：Ｎｏ）、レーザ光を受光したか否かを判定する（Ｓ２４）。測距部５２は、受光素子４４から受光信号が入力されていないと、レーザ光を受光していないと判定して（Ｓ２４：Ｎｏ）、ステップＳ２０を繰り返し実行する。
【００３１】
一方、測距部５２は、受光素子４４から受光信号が入力されていると、レーザ光を受光したと判定して（Ｓ２４：Ｙｅｓ）、レーザ４０の発光を停止するとともに、測距対象物までの距離を算出する（Ｓ２６）。
【００３２】
測距部５２は、算出された距離が判定距離以上か否かを判定する（Ｓ２８）。測距部５２は、算出された距離が判定距離未満であると判定すると（Ｓ２８：Ｎｏ）、算出した距離を表示部２６に表示させることなく、ステップＳ１０以下を再度繰り返す。
【００３３】
一方、測距部５２は、算出された距離が判定距離以上と判定すると（Ｓ２８：Ｙｅｓ）、距離を表示部２６へと出力して、表示部２６に距離を表示させる（Ｓ３０）。これにより、制御部２８は、測距処理を終了する。尚、ステップＳ３０の後、再度、測距処理を開始してもよい。
【００３４】
上述したように、眼鏡１０は、視線を検出して、視線上の測距対象物に発光部１８から発光するレーザ光を向ける視線検出部５０を有する。これにより、眼鏡１０は、測距対象物に発光部１８のレーザ４０から発光されたレーザ光を到達させることができる。この結果、眼鏡１０は、ユーザが測距を希望する測距対象物をより確実に特定してその距離を算出することができる。
【００３５】
眼鏡１０では、視線検出部５０が、視線の固定状態になったと判定すると、測距部５２が測距対象物までの距離を算出する。従って、ユーザが一瞥しただけの、測距離を希望しない対象物の距離を算出することがないので、不要な測距処理を低減できる。また、視線の固定状態になったときにはその直前に不要な測距処理をしていないので、測距部５２は、迅速に距離の算出を開始できる。
【００３６】
眼鏡１０では、測距部５２は、算出した距離が判定距離未満の場合、その距離を表示部２６に出力しない。これにより、表示部２６は、当該距離を表示しない。従って、ユーザが不要な距離表示に煩わされることを低減できる。例えば、ユーザがゴルフ場等でピンの距離を知るために眼鏡１０を使用している場合において、ユーザがすぐ近くの友人等と会話している状態で、友人までの距離が表示されることがない。
【００３７】
眼鏡１０では、レンズ１４、１６が発光部１８から発光される偏光であるレーザ光を遮光する偏光板として機能する。従って、眼鏡１０は、ユーザがレーザ光によって眩しさを感じることを抑制できる。更に、眼鏡１０では、レンズ１４、１６が、発光部１８から発光される赤外線であるレーザ光を遮光するカラーフィルタとして機能する。従って、眼鏡１０は、ユーザがレーザ光によって眩しさを感じることを、より抑制できる。
【００３８】
上述した実施形態の一部を変更した例について説明する。
【００３９】
上述した実施形態では、両眼の視線上の対象物を測距対象物として距離を算出したが、利き眼を検出して、利き眼の視線上の対象物を測距対象物としてもよい。この場合、視線検出部５０は、例えば、視線が固定された状態で、撮像部２２、２４から入力された画像に基づいて、瞳孔が略中心に配置されている方の眼を効き眼として検出する。視線検出部５０は、検出した利き眼の視線上の測距対象物にレーザ４０のレーザ光及び受光素子４４の受光面を向ける。
【００４０】
上述した実施形態では、視線が固定状態となると距離を算出したが、視線が固定状態から変化したと判定すると、距離の算出を停止してもよい。この場合、視線検出部５０は、視線が固定状態から変化したと判定すると、測距部５２に測距停止指示を出力する。測距部５２は、測距停止指示が入力されると、算出中であっても距離の算出を停止する。これにより、ユーザが不要となった距離を算出することを低減することができるとともに、不要な距離の表示によってユーザを煩わすことを低減できる。
【００４１】
上述の実施形態では、表示部２６が測距対象物までの距離を表示したが、表示部２６はその他の表示情報を表示してもよい。
【００４２】
図５は、表示部２６の表示情報の変更例である。例えば、図５に示すように、ユーザがゴルフ場にいる場合であって、ユーザからピンの位置が見えない場合、表示部２６はピンの方向を示す矢印６０を表示してもよい。この場合、眼鏡１０は、目標物検出部の一例であるＧＰＳ（Global Positioning System）端末を更に備え、記憶部５４はゴルフ場のピンの位置情報を記憶する。これにより、眼鏡１０では、ＧＰＳ端末が、ユーザの位置及び目標物の一例であるピンの位置を検出して、記憶部５４に記憶されたピンの位置情報に含まれるピンの位置からピンの方向を検出する。そして、表示部２６は、測距した距離とともに、ピンの方向を示す矢印６０を表示する。
【００４３】
図６は、表示部２６の表示情報の変更例である。図６に示すように、表示部２６は、測距された測距対象物までの距離とともに、測距対象物までの途中の距離を示す等距離線６２を表示してもよい。図６においては、測距対象物までの距離が１５０ｙａｒｄであって、途中の１００ｙａｒｄ及び５０ｙａｒｄが点線で示す等距離線６２によって表示されている。
【００４４】
図７は、前方から見た測距システム１００の全体斜視図である。図８は、後方から見た測距システム１００の斜視図である。図７及び図８に示すように、測距システム１００は、眼鏡７０と、測距装置７２とを備える。眼鏡７０は、フレーム１２と、一対のレンズ１４及びレンズ１６とを備える。
【００４５】
測距装置７２は、眼鏡７０に着脱可能に設けられている。測距装置７２は、発光部１８と、受光部２０と、一対の撮像部２２及び撮像部２４と、表示部１２６と、制御部２８と、保持部材７４とを備える。保持部材７４は、測距装置７２を保持する。保持部材７４は、眼鏡７０のリム部３２の上端に着脱可能に設けられる。発光部１８及び受光部２０は、保持部材７４の前面に設けられている。発光部１８及び受光部２０は、互いに間隔をあけて配置されている。撮像部２２、２４は、保持部材７４の後面に設けられている。撮像部２２、２４は、互いに間隔をあけて配置されている。表示部１２６は、保持部材７４の後面の下端に設けられている。表示部１２６は、光を透過するとともに、測距した距離等の画像を表示する。制御部２８は、保持部材７４の内部に埋め込まれている。表示部１２６の機能は、表示部２６の機能と同様である。本実施形態による測距システム１００においても、上述の実施形態と同様の効果を奏することができる。
【００４６】
その他の表示する情報は、ピン等の測距対象物周辺の風向き、木及びバンカー等の障害物までの距離、他の人及び他のグループまでの距離である。更に、ＧＰＳ端末及びゴルフ場のコース情報を連携させて、ゴルフ場のフェアウエイの見えない障害物を表示させてもよい。
【００４７】
上述の実施形態では、画像によって距離等を表示する例を示したが、音声等によって距離等をユーザに通知してもよい。
【００４８】
ユーザがゴルフ場にいる場合であって、眼鏡１０が、ゴルフボールの到達位置を予測するように構成してもよい。例えば、眼鏡１０は、発光部１８からのレーザ光をゴルフボールに向けて発光させる。眼鏡１０は、受光部２０によってゴルフボールにより反射されたレーザ光を受光することによりゴルフボールの速度を算出する。また、眼鏡１０は、ゴルフボールを追うユーザの瞳孔の動きからゴルフボールが飛ぶ方向を検出する。これにより、眼鏡１０は、ゴルフボールの速度及び飛ぶ方向からゴルフボールの到達位置を予測して、表示部２６に表示する。尚、眼鏡１０の前面に撮像部を別に設けて、撮像部が撮像したゴルフボールの画像によって、ゴルフボールの速度及び飛ぶ方向を検出してもよい。更に、ユーザがゴルフボールの到達位置の近傍に移動した場合、眼鏡１０は、ゴルフボールの位置を再度表示部２６に表示させてもよい。これにより、ユーザは容易にゴルフボールを見つけることができる。
【００４９】
上述した実施形態における各部材の形状、個数、表示情報等は適宜変更してよい。また、各実施形態を組み合わせてもよい。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５２】
１０  眼鏡、        １２  フレーム、        １４  レンズ、        １６  レンズ、        １８  発光部、        ２０  受光部、        ２２  撮像部、        ２４  撮像部、        ２６  表示部、        ２８  制御部、        ３２  リム部、        ３４  枝部、        ３６  枝部、        ４０  レーザ、        ４２  発光駆動部、        ４４  受光素子、        ４６  受光駆動部、        ５０  視線検出部、        ５２  測距部、        ５４  記憶部、        ６０  矢印、        ６２  等距離線、        ７０  眼鏡、        ７２  測距装置、        ７４  保持部材、        １００  測距システム、        １２６  表示部
【図１】
0006015044.tif 000002
【図２】
0006015044.tif 000003
【図３】
0006015044.tif 000004
【図４】
0006015044.tif 000005
【図５】
0006015044.tif 000006
【図６】
0006015044.tif 000007
【図７】
0006015044.tif 000008
【図８】
0006015044.tif 000009